(57)【要約】【課題】組み立てが容易であるとともに、箱状本体の各角部の隙間をなくすことができる折箱を提供する。【解決手段】四角形状の底板部２５に折曲部２１，２２，２３，２４を介して連接された端板部３０，３５及び側板部４０，４５を立設して箱状本体２０を組み立てるようにした折箱１０であって、各角部１１，１２，１３，１４に、各端板部と各側板部を立設した際に隣接する端板部と側板部とを一体に接続し、かつ端板部に折り重ねられる薄板部５０が形成され、側板部には、各薄板部の折り重ね位置近傍に端辺部４１，４６から切欠いて形成された溝部６０を有し、各端板部の端辺部３１，３６両端には、折曲部３２，３７を介して端板部内面側に折り曲げ可能であり折り曲げ時には側板部に折り重ねられた薄板部とともに側板部を挟着しかつ先端が溝部に係合される係合部７０が形成されている。【選択図】図１
2011116438.tif 000002
【特許請求の範囲】
【請求項１】
それぞれ平行な縦辺部（ａ，ｂ）及び横辺部（ｃ、ｄ）からなる四角形状の底板部と、前記底板部の各縦辺部に折曲部を介して連設された端板部と、前記底板部の各横辺部に折曲部を介して連設された側板部とを有し、前記各端板部及び各側板部をそれぞれの折曲部を介して立設して箱状本体を組み立てるようにした折箱であって、
前記各端板部と前記各側板部とを連接する各角部に、前記各端板部と前記各側板部を立設した際に隣接する端板部と側板部とを一体に接続し、かつ前記側板部に折り重ねられる薄板部が形成され、
前記側板部には、前記各薄板部の折り重ね位置近傍に端辺部から切欠いて形成された溝部を有し、
前記各端板部の端辺部両端には、折曲部を介して前記端板部内面側に折り曲げ可能であり折り曲げ時には前記側板部に折り重ねられた前記薄板部とともに前記側板部を挟着しかつ先端が前記溝部に係合される係合部が形成されていることを特徴とする折箱。
【請求項２】
前記係合部は、平板状の本体と、該本体の両側辺に立設された挟着片と、前記本体の先端辺に前記両側辺の挟着片と連接して立設された係合片とによって収容凹部を形成し、前記折り曲げ時には、前記係合片が前記溝部に挿入されて係合されるとともに、前記側板部及び折り重ねられた前記薄板部の端辺部側が前記収容凹部に収容されかつ前記挟着片によって挟着される請求項１に記載の折箱。
【請求項３】
前記溝部の下部に側板部中心側に向かって形成された横溝部を一体に有し、前記係合部の先端には前記折り曲げ時に前記横溝部に係合される爪部が形成されている請求項１又は２に記載の折箱。
【請求項４】
前記側板部に前記薄板部を収容する薄肉部が形成されている請求項１ないし３のいずれか１項に記載の折箱。
【請求項５】
前記薄板部が前記側板部外面に折重ねられる請求項１ないし４のいずれか１項に記載の折箱。
【請求項６】
前記各端板部の前記端辺部には前記折曲部を介して前記端板部内面側に折り曲げ可能な端枠部が前記係合部と一体に形成され、前記各側板部の前記各溝部間の前記端辺部には前記側板部内面側に突出した側枠部が形成されている請求項１ないし５のいずれか１項に記載の折箱。
【請求項７】
前記底板部及び前記端板部並びに前記側板部の厚みが１．５〜６ｍｍである請求項１ないし６のいずれか１項に記載の折箱。
【請求項８】
前記薄板部の厚みが０．１〜１．５ｍｍである請求項１ないし７のいずれか１項に記載の折箱。
【請求項９】
前記各板部が合成樹脂発泡体からなる請求項１ないし８のいずれか１項に記載の折箱。
【請求項１０】
前記合成樹脂発泡体からなる各板部の片面または両面にラミネートシートが貼着されている請求項９に記載の折箱。
【発明の詳細な説明】
【技術分野】
【０００１】
本発明は、四角形状の底板部に連接された端板部及び側板部を立設して組み立てられる折箱に関する。
【背景技術】
【０００２】
各種の物品を収納するための箱状の容器として、例えば、四角形状の底板部の各辺部にＶ溝等の折曲部を介して一体に連接された端板部及び側板部を有し、各端板部及び各側板部を折曲げ部を介して立設して箱状本体を組み立ててなる折箱が知られている（例えば、特許文献１参照。）。
【０００３】
この折箱では、物品の未収納時に保管等する際には、各板部を展開することによって一枚の板状体とすることができ省スペース化を図ることができ、しかも、展開した状態から各板部を立設させることで容易に組み立てることが可能である。また、各板部を合成樹脂発泡体等の素材とすることによって、軽量で保護性や保温性を備えた折箱を容易に成形することができる。
【０００４】
このような折箱は、低温での保存が必要な魚等の生ものや冷凍食品等の物品の運搬等に用いられることが一般的である。その際、前記物品とともに氷等の保冷剤が適宜収納される。しかしながら、上記従来の折箱にあっては、各端板部及び各側板部をそれぞれ立設して組み立てる構成であるから、箱状本体の各角部を完全に密着させることが困難であり、わずかな隙間が生じる。そして、前記物品を長期間収納すると折箱内で結露や氷が溶け出す等して水が発生することが避けられないことから、前記各角部の隙間から液漏れするおそれがあった。また、前記隙間によって外気が内部に侵入する等して折箱の保温効果が低下するという問題があった。
【先行技術文献】
【特許文献】
【０００５】
【特許文献１】実開平６−４７１２６号公報
【発明の概要】
【発明が解決しようとする課題】
【０００６】
本発明は前記の点に鑑みなされたものであり、組み立てが容易であるとともに、箱状本体の各角部の隙間をなくすことができる折箱を提供するものである。
【課題を解決するための手段】
【０００７】
すなわち、請求項１の発明は、それぞれ平行な縦辺部（ａ，ｂ）及び横辺部（ｃ、ｄ）からなる四角形状の底板部と、前記底板部の各縦辺部に折曲部を介して連設された端板部と、前記底板部の各横辺部に折曲部を介して連設された側板部とを有し、前記各端板部及び各側板部をそれぞれの折曲部を介して立設して箱状本体を組み立てるようにした折箱であって、前記各端板部と前記各側板部とを連接する各角部に、前記各端板部と前記各側板部を立設した際に隣接する端板部と側板部とを一体に接続し、かつ前記側板部に折り重ねられる薄板部が形成され、前記側板部には、前記各薄板部の折り重ね位置近傍に端辺部から切欠いて形成された溝部を有し、前記各端板部の端辺部両端には、折曲部を介して前記端板部内面側に折り曲げ可能であり折り曲げ時には前記側板部に折り重ねられた前記薄板部とともに前記側板部を挟着しかつ先端が前記溝部に係合される係合部が形成されていることを特徴とする折箱に係る。
【０００８】
請求項２の発明は、前記係合部は、平板状の本体と、該本体の両側辺に立設された挟着片と、前記本体の先端辺に前記両側辺の挟着片と連接して立設された係合片とによって収容凹部を形成し、前記折り曲げ時には、前記係合片が前記溝部に挿入されて係合されるとともに、前記側板部及び折り重ねられた前記薄板部の端辺部側が前記収容凹部に収容されかつ前記挟着片によって挟着される請求項１に記載の折箱に係る。
【０００９】
請求項３の発明は、前記溝部の下部に側板部中心側に向かって形成された横溝部を一体に有し、前記係合部の先端には前記折り曲げ時に前記横溝部に係合される爪部が形成されている請求項１又は２に記載の折箱に係る。
【００１０】
請求項４の発明は、前記側板部に前記薄板部を収容する薄肉部が形成されている請求項１ないし３のいずれか１項に記載の折箱に係る。
【００１１】
請求項５の発明は、前記薄板部が前記側板部外面に折重ねられる請求項１ないし４のいずれか１項に記載の折箱に係る。
【００１２】
請求項６の発明は、前記各端板部の前記端辺部には前記折曲部を介して前記端板部内面側に折り曲げ可能な端枠部が前記係合部と一体に形成され、前記各側板部の前記各溝部間の前記端辺部には前記側板部内面側に突出した側枠部が形成されている請求項１ないし５のいずれか１項に記載の折箱に係る。
【００１３】
請求項７の発明は、前記底板部及び前記端板部並びに前記側板部の厚みが１．５〜６ｍｍである請求項１ないし６のいずれか１項に記載の折箱に係る。
【００１４】
請求項８の発明は、前記薄板部の厚みが０．１〜１．５ｍｍである請求項１ないし７のいずれか１項に記載の折箱に係る。
【００１５】
請求項９の発明は、前記各板部が合成樹脂発泡体からなる請求項１ないし８のいずれか１項に記載の折箱に係る。
【００１６】
請求項１０の発明は、前記合成樹脂発泡体からなる各板部の片面または両面にラミネートシートが貼着されている請求項９に記載の折箱に係る。
【発明の効果】
【００１７】
請求項１の発明に係る折箱は、それぞれ平行な縦辺部（ａ，ｂ）及び横辺部（ｃ、ｄ）からなる四角形状の底板部と、前記底板部の各縦辺部に折曲部を介して連設された端板部と、前記底板部の各横辺部に折曲部を介して連設された側板部とを有し、前記各端板部及び各側板部をそれぞれの折曲部を介して立設して箱状本体を組み立てるようにした折箱であって、前記各端板部と前記各側板部とを連接する各角部に、前記各端板部と前記各側板部を立設した際に隣接する端板部と側板部とを一体に接続し、かつ前記側板部に折り重ねられる薄板部が形成され、前記側板部には、前記各薄板部の折り重ね位置近傍に端辺部から切欠いて形成された溝部を有し、前記各端板部の端辺部両端には、折曲部を介して前記端板部内面側に折り曲げ可能であり折り曲げ時には前記側板部に折り重ねられた前記薄板部とともに前記側板部を挟着しかつ先端が前記溝部に係合される係合部が形成されているため、極めて簡易な構成によって箱状本体の各角部の隙間をふさぐことができ、しかも、箱状本体の組み立てが容易である。
【００１８】
請求項２の発明は、請求項１において、前記係合部は、平板状の本体と、該本体の両側辺に立設された挟着片と、前記本体の先端辺に前記両側辺の挟着片と連接して立設された係合片とによって収容凹部を形成し、前記折り曲げ時には、前記係合片が前記溝部に挿入されて係合されるとともに、前記側板部及び折り重ねられた前記薄板部の端辺部側が前記収容凹部に収容されかつ前記挟着片によって挟着されるため、側板部及び折り重ねられた薄板部５０の端辺部の露出を防止して外観性の低下を抑制することができるとともに、薄板部の折り重ね状態を容易かつ確実に保持することができる。
【００１９】
請求項３の発明は、請求項１又は２において、前記溝部の下部に側板部中心側に向かって形成された横溝部を一体に有し、前記係合部の先端には前記折り曲げ時に前記横溝部に係合される爪部が形成されているため、側壁部に対して係合部を確実に固定することができ、不意に係合が解除されることを容易に防止することができる。
【００２０】
請求項４の発明は、請求項１ないし３において、前記側板部に前記薄板部を収容する薄肉部が形成されているため、薄板部が側板部の内面または外面から過剰に突出することを抑制することができる。
【００２１】
請求項５の発明は、請求項１ないし４において、前記薄板部が前記側板部外面に折重ねられるため、収納する物品をあらかじめ底板部に載置した状態で箱状本体を組み立てることが可能であり、作業効率が向上する。
【００２２】
請求項６の発明は、請求項１ないし５において、前記各端板部の前記端辺部には前記折曲部を介して前記端板部内面側に折り曲げ可能な端枠部が前記係合部と一体に形成され、前記各側板部の前記各溝部間の前記端辺部には前記側板部内面側に突出した側枠部が形成されているため、組み立てられた箱状本体の強度を容易に高めることが可能となる。
【００２３】
請求項７の発明は、請求項１ないし６において、前記底板部及び前記端板部並びに前記側板部の厚みが１．５〜６ｍｍであるため、十分な強度や保温効果を得ることができるとともに、必要以上にかさばることがなく保管や組み立てしやすい等の利便性にも優れる。
【００２４】
請求項８の発明は、請求項１ないし７において、前記薄板部の厚みが０．１〜１．５ｍｍであるため、折り重ねやすくしかも十分な強度も確保することができる。
【００２５】
請求項９の発明は、請求項１ないし８において、前記各板部が合成樹脂発泡体からなるため、軽量で保護性や保温性に優れた折箱を提供することができる。
【００２６】
請求項１０の発明は、請求項９において、前記合成樹脂発泡体からなる各板部の片面または両面にラミネートシートが貼着されているため、当該折箱の外面に容易に装飾性を持たせることができるとともに、各折曲部を補強することができる。
【図面の簡単な説明】
【００２７】
【図１】本発明の第一実施例に係る折箱の斜視図である。
【図２】図１の折箱の展開図である。
【図３】図２のＡ−Ａ断面図である。
【図４】薄板部の折り重ね例を模式的に表した要部断面図である。
【図５】係合部の斜視図である。
【図６】箱状本体の組み立て時における側板部の薄板部折り重ね位置近傍の斜視図である。
【図７】係合部の折り曲げ過程を模式的に表した要部断面図である。
【図８】図７のＢ−Ｂ断面図である。
【図９】図８のＣ−Ｃ断面図である。
【発明を実施するための形態】
【００２８】
図１，２に示すように、本発明の折箱１０は、それぞれ平行な縦辺部ａ，ｂ及び横辺部ｃ、ｄからなる四角形状の底板部２５と、前記底板部２５の各縦辺部ａ，ｂに折曲部２１，２２を介して連設された端板部３０，３５と、前記底板部２５の各横辺部ｃ，ｄに折曲部２３，２４を介して連設された側板部４０，４５とを有し、前記各端板部３０，３５及び各側板部４０，４５をそれぞれの折曲部２１，２２，２３，２４を介して立設して箱状本体２０を組み立てるようにしてなる。この折箱１０において、各折曲部２１，２２，２３，２４は、Ｖ溝や凹状溝等適宜の形状で形成することができ、実施例ではＶ溝である。
【００２９】
この折箱１０では、底板部２５及び端板部３０，３５並びに側板部４０，４５の厚みが、収納する物品の種類や大きさ、用途等に応じて適宜に設定される。特に、利便性や強度、保温性等の観点から、前記各板部２５，３０，３５，４０，４５の厚みは１．５〜６ｍｍとされる。厚みが１．５ｍｍより薄い場合、十分な強度や保温効果を得ることができず、厚みが６ｍｍより厚い場合、必要以上にかさばって保管に不都合となったり組み立てにくくなる等の利便性の低下のおそれがある。実施例の各板部２５、３０，３５，４０，４５の厚みは３ｍｍである。
【００３０】
この折箱１０は、各端板部３０，３５と各側板部４０，４５とを連接する各角部１１，１２，１３，１４に薄板部５０，５０，５０，５０が形成され、各側板部４０，４５に溝部６０（６０Ａ，６０Ｂ，６０Ｃ，６０Ｄ）が形成され、各端板部３０，３５の端辺部３１，３６両端に係合部７０（７０Ａ，７０Ｂ，７０Ｃ，７０Ｄ）が形成されている。
【００３１】
薄板部５０は、図２に示すように、各端板部３０，３５と各側板部４０，４５とを連接する各角部１１，１２，１３，１４に形成される。そして、図１，４，６に示すように、各端板部３０，３５と各側板部４０，４５を立設した際に隣接する端板部３０，３５と側板部４０，４５とを一体に接続し、かつ側板部４０，４５に折り重ねられるように構成される。
【００３２】
この薄板部５０にあっては、各端板部３０，３５と各側板部４０，４５を立設した際に隣接する端板部３０，３５と側板部４０，４５とを一体に接続するものであるから、隣接する端板部３０，３５と側板部４０，４５との隙間をふさいで、箱状本体２０として組み立てた際の各角部１１，１２，１３，１４の隙間からの水漏れ等を効果的に防ぐことが可能となる。また、この薄板部５０は、上記水漏れ等の防止が可能であれば、各角部１１，１２，１３，１４に形成する位置や形状等は特に限定されない。特に、薄板部５０の外面を端板部３０，３５及び側板部４０，４５の外面３０Ｂ，３５Ｂ，４０Ｂ，４５Ｂと面一に形成すれば、薄板部５０が成形し易くなる他、箱状本体２０を展開した状態で積み重ねて保管する等の際に重ね易くなる等、好都合である。
【００３３】
さらに、この薄板部５０には、図２の展開図に示すように、底板部２５の角部１１，１２，１３，１４側から斜め方向に易折部５１を形成することが好ましい。易折部５１は、図３に示すように、折り曲げ方向の面に適宜の切り込みや溝等からなり、薄板部５０の特定位置での折り重ねが容易となって、作業性の向上や折り重ね時のズレ等を防止することができる。
【００３４】
実施例の薄板部５０では、図４に示すように、側板部４０（４５）の外面側４０Ｂ（４５Ｂ）側に折り重ねられる。このように薄板部５０を側板部４０（４５）の外面４０Ｂ（４５Ｂ）側に折り重ねる場合、収納する物品をあらかじめ底板部２５に載置した状態で箱状本体２０を組み立てることが可能であり、作業効率が向上する。また、図示しないが、薄板部５０を側板部４０，４５の内面４０Ａ，４５Ａ側に折り重ねることも可能である。薄板部５０を側板部４０，４５の内面４０Ａ，４５Ａ側に折り重ねるた場合は、箱状本体２０を組み立てた際に薄板部５０の外部への露出を防止することができる。
【００３５】
この薄板部５０では、折り重ね易さや強度等の関係から、厚みが０．１〜１．５ｍｍとされる。薄板部５０の厚みが０．１ｍｍより薄い場合、十分な強度を得ることが困難であり、破損し易いという問題がある。厚みが１．５ｍｍより厚い場合、折り重ね時の薄板部５０が厚くなり過ぎて、折り重ねが困難になるとともに折り重ね部分が不自然に厚くなり、外観性を損なったり物品の収納を妨げるなどの問題が生じる。実施例の薄板部５０の厚みは１ｍｍである。
【００３６】
また、図１，３，４，６に示すように、側板部４０，４５の各折り畳み位置に、薄板部５０を収納するための薄肉部４２，４７を形成することが好ましい。この薄肉部４２，４７は、側板部４０，４５の厚みより薄く形成された凹部であり、薄板部５０の折り重ね側の面（薄板部５０を内面４０Ａ，４５Ａ側に折り重ねる場合は内面４０Ａ，４５Ａ、外面４０Ｂ，４５Ｂ側に折り重ねる場合は外面４０Ｂ，４５Ｂ）に設けられる。実施例では、外面４０Ｂ，４５Ｂに薄肉部４２，４７が形成されている。
【００３７】
薄肉部４２，４７の形状としては、折り重ねられた薄板部５０が収納可能であれば特に限定されない。また、薄肉部４２，４７の厚みは、折り重ねられた薄板部５０が収納可能でかつ側板部４０，４５の厚みより薄く薄板部５０の厚みより厚く形成され、例えば、０．５ｍｍ〜１．５ｍｍとされる。薄肉部４２，４７の厚みが１．５ｍｍより厚い場合、薄板部５０を収納するための十分な空間を確保することが困難であり、０．５ｍｍより薄い場合、強度面で問題がある。実施例の薄肉部４２，４７は、図１，６，７に示すように、薄板部５０に隣接して形成された略三角形状で、それぞれ厚みが１ｍｍとされる。
【００３８】
この薄肉部４２，４７に折り重ねられた薄板部５０が収納されることにより、薄板部５０が側板部４０，４５の内面４０Ａ，４５Ａまたは外面４０Ｂ，４５Ｂから過剰に突出することを抑制することができる。薄板部５０を内面４０Ａ，４５Ａ側に折り重ねる場合は、物品の収納の妨げにならず機能性を損なうことがない。薄板部５０を外面４０Ｂ，４５Ｂ側に折り重ねる場合は、外面４０Ｂ，４５Ｂと略面一となるので外観性を損なうことがない。
【００３９】
溝部６０は、図２，６，７に示すように、側板部４０，４５の各薄板部５０の折り重ね位置近傍に端辺部４１，４６から切欠いて形成される。実施例では、薄板部５０を側板部４０，４５に折り重ねた際の頂点５２位置に隣接しかつ薄板部５０と重ならない位置に形成されている。なお、図２の符号６０Ａは側板部４０の端板部３０側の折り重ね位置近傍に形成された溝部、６０Ｂは側板部４０の端板部３５側の折り重ね位置近傍に形成された溝部、６０Ｃは側板部４５の端板部３０側の折り重ね位置近傍に形成された溝部、６０Ｄは側板部４５の端板部３５側の折り重ね位置近傍に形成された溝部である。
【００４０】
また、各溝部６０は、下部に側板部４０，４５中心側に向かって形成された横溝部６５を一体に有し、側面視略Ｌ字状に形成される。実施例において、側板部４０の溝部６０Ａの横溝部６５Ａは側板部４０中心側すなわち端板部３０の反対側に向かって形成され、溝部６０Ｂの横溝部６５Ｂは側板部４０中心側すなわち端板部３５の反対側に向かって形成されており、溝部６０Ａと溝部６０Ｂとが側板部４０に対称配置された状態となっている。同様に、側板部４５の溝部６０Ｃの横溝部６５Ｃは端板部３０の反対側に向かって形成され、溝部６０Ｄの横溝部６５Ｄは端板部３５の反対側に向かって形成され、溝部６０Ｃと溝部６０Ｄとが側板部４５に対称配置される。
【００４１】
係合部７０は、図１，２に示すように、端板部３０，３５の端辺部３１，３６両端に、折曲部３２，３７を介して端板部３０，３５内面３０Ａ，３５Ａ側に折り曲げ可能に形成され、折り曲げ時には側板部３０，３５に折り重ねられた薄板部５０とともに側板部３０，３５を挟着しかつ先端が溝部６０に係合される。実施例では、端板部３０の側板部４０側に溝部６０Ａに係合される係合部７０Ａ、側板部４５側に溝部６０Ｃに係合される係合部７０Ｃがそれぞれ形成され、端板部３３の側板部４０側に溝部６０Ｂに係合される係合部７０Ｂ、側板部４５側に溝部６０Ｄに係合される係合部７０Ｄがそれぞれ形成されている。
【００４２】
係合部７０は、図５，６に示すように、平板状の本体７１と、該本体７１の両側辺に立設された挟着片７２，７３と、本体７１の先端辺に両側辺の挟着片７２，７３と連接して立設された係合片７４とによって収容凹部７５を形成している。そして、折り曲げ時には、図６〜図９に示すように、係合片７４が溝部６０に挿入されて係合されるとともに、側板部４０（４５）及び折り重ねられた薄板部５０の端辺部４１（４６），５３側が収容凹部７５に収容されかつ挟着片７２，７３によって挟着される。これにより、側板部４０（４５）及び折り重ねられた薄板部５０の端辺部４１（４６），５３の露出を防止して外観性の低下を抑制することができるとともに、薄板部５０の折り重ね状態を容易かつ確実に保持することができる。なお、実施例では、挟着片７２，７３は、折曲部３２（３７）側から先端側に向かって高くなるように傾斜して形成される。
【００４３】
また、この係合部７０では、その先端に折り曲げ時に横溝部６５に係合される爪部７６を形成することが好ましい。実施例では係合片７４に爪部７６が突設され、図７に示すように、側面視略Ｌ字状に形成される。これにより、側面視略Ｌ字状に一体に形成された溝部及び横溝部６５に側面視略Ｌ字状に一体に形成された係合片７４及び爪部７６がそれぞれ係合されるため、側壁部４０，４５に対して係合部７０を確実に固定することができ、不意に係合が解除されることを容易に防止することができる。なお、図２において、符号７６Ａ，７６Ｂ，７６Ｃ，７６Ｄはそれぞれ対応する係合部７０Ａ，７０Ｂ，７０Ｃ，７０Ｄの爪部である。
【００４４】
また、この折箱１０では、図１，２に示すように、各端板部３０，３５の端辺部３１，３６に折曲部３２，３７を介して端板部内面３０Ａ，３５Ａ側に折り曲げ可能な端枠部８０（８０Ａ，８０Ｂ）が係合部７０（７０Ａ，７０Ｂ，７０Ｃ，７０Ｄ）と一体に形成され、各側板部４０，４５の各溝部６０間の端辺部４１，４６には側板部内面４０Ａ，４５Ａ側に突出した側枠部８５（８５Ａ，８５Ｂ）が形成されている。各枠部８０，８５を形成することにより、組み立てられた箱状本体２０の強度を容易に高めることが可能となる。
【００４５】
この折箱１０において、各板部２５，３０，３５，４０，４５及び係合部７０を構成する素材としては、軽量で保形性を備えた合成樹脂発泡体、段ボール、積層紙等の適宜の材料を使用することができる。特には、保護性や保温性等の観点から、各板部２５，３０，３５，４０，４５及び係合部７０を合成樹脂発泡体で構成することが好ましい。用いる合成樹脂としては、ポリスチレン、ポリプロピレン、ポリエチレン、ポリ塩化ビニル等であり、これらの発泡成形品からなる。なお、各板部２５，３０，３５，４０，４５及び係合部７０を合成樹脂発泡体とした場合では、各折曲部２１，２２，２３，２４，３２，３７や薄板部５０、薄肉部４２，４７等を公知の加熱圧縮等を用いることによって容易に形成することができる。
【００４６】
また、この折箱１０では、合成樹脂発泡体からなる各板部２５，３０，３５，４０，４５及び係合部７０の片面または両面にラミネートシートを貼着してもよい。ラミネートシートとしては、ポリエチレン、ポリスチレン、ポリプロピレン等の公知の合成樹脂フィルムが好適に用いられる。このラミネートシートによれば、適宜の文字や模様、絵柄等を印刷することによって折箱１０外面に容易に装飾性を持たせることが可能となる。特に、端板部３０，３５に端枠部８０，側板部４０，４５に側枠部８５がそれぞれ形成されている場合には、各端辺部３１，３６，４１，４６の露出を防止することができ、外観性の低下を抑制することができる。さらに、ラミネートシートを貼着することによって各折曲部２１，２２，２３，２４，３２，３７を補強することもできる。加えて、この折箱１０では、このラミネートシートによって薄板部５０が形成されるように各板部２５，３０，３５，４０，４５及び係合部７０に貼着することも可能である。
【００４７】
なお、図示しないが、当該折箱１０では、必要に応じて箱状本体２０の上部開口部２０Ａに適宜の蓋部を設けて開閉可能な構成とすることができる。蓋部としては、例えば、各側板部４０，４５のいずれか一方（片開き）または双方（両開き）に板状部材を折り曲げ可能に一体に設けることができる。このように蓋部を一体に設けることにより、製造が容易でかつ極めて簡易な構成によって箱状本体の上部開口部の開閉を行うことができ、保護性や保温性も向上させることができる。
【００４８】
また、この蓋部は、箱状本体２０に対して着脱自在に構成してもよい。蓋部を着脱自在とすれば、同一の折箱１０で用途に応じて蓋部の使用または不使用を適宜に選択することができ、折箱１０の汎用性が向上する。着脱自在の蓋部を用いた場合でも、前記一体に設けた蓋部と同様に保護性や保温性を向上させることができるのはいうまでもない。
【００４９】
さらに、蓋部を透明な合成樹脂フィルムとしてもよい。合成樹脂フィルムとしては、ポリエチレン、ポリスチレン、ポリプロピレン、ＰＥＴ樹脂等の公知の合成樹脂フィルムが好適に用いられる。このように透明な合成樹脂フィルムを蓋部として用いれば、箱状本体２０の上部開口部２０Ａを閉鎖した状態でも外部から内容物が視認可能とすることができ、そのままの状態で店頭などに展示することができる。これにより、当該折箱１０をコールドチェーン等に好適に用いることが可能となる。
【００５０】
次に、本発明の折箱１０の組み立て方について説明する。この折箱１０では、まず、各端板部３０，３５及び各側板部４０，４５が折曲部２１，２２，２３，２４を介して略９０°折り曲げられて立設される。その際、各端板部３０，３５及び各側板部４０，４５を接続する各薄板部５０が、図４（ａ）に示すように、易折部５１を介して折り曲げられるとともに、図４（ｂ）に示すように、側板部４０，４５の外面４０Ｂ，４５Ｂ側に薄肉部４２，４７に収納されるように折り重ねられる。
【００５１】
各薄板部５０が各側板部４０，４５に折り重ねられた後、続いて、図６及び図７（ａ）に示すように、各係合部７０が折曲部３２，３７を介して端板部３０，３５の内面３０Ａ，３５Ａ側に折り曲げられる。ここで、折り曲げられた係合部７０では、図７（ｂ）に示すように、先端に形成された爪部７６が弾性的に屈曲されて係合片７４とともに溝部６０に挿入され、図７（ｃ）に示すように、横溝部６５に達した際に屈曲された爪部７６が復元されて、側面視略Ｌ字状に一体に形成された溝部及び横溝部６５に側面視略Ｌ字状に一体に形成された係合片７４及び爪部７６がそれぞれ係合される。
【００５２】
係合部７０が溝部６０に係合されることにより、図７（ｃ）及び図８に示すように、側板部４０，４５及び折り重ねられた薄板部５０の端辺部４１，４６，５３側が係合部７０の収容凹部７５収容される。加えて、図８及び図９に示すように、側板部４０，４５及び折り重ねられた薄板部５０の端辺部４１，４６，５３側は、係合部７０の挟着片７２，７３によって挟着され、箱状本体２０の組み立てが完了する。
【００５３】
以上、図示し説明したように、本発明の折箱１０では、各端板部３０，３５と各側板部４０，４５を立設した際に隣接する端板部３０，３５と側板部４０，４５とを一体に接続する薄板部５０を有することにより、極めて簡易な構成で隣接する端板部３０，３５と側板部４０，４５との隙間をふさぐことができ、各角部１１，１２，１３，１４の隙間からの水漏れ等や外気の侵入等による保温効果の低下等を効果的に防ぐことができる。あわせて、係合部７０が側板部４０，４５の溝部６０に係合されて側板部４０，４５に折り重ねられた薄板部５０とともに側板部４０，４５を挟着するものであるから、極めて簡易な手順で箱状本体２０を組み立てることができる。
【００５４】
特に、係合部７０を折り曲げ係合片７４が溝部６０に係合された際に、側板部４０，４５及び折り重ねられた薄板部５０の端辺部４１，４６，５３側が収容凹部７５に収容されかつ挟着片７２，７３によって挟着されることにより、側板部４０（４５）及び折り重ねられた薄板部５０の端辺部４１（４６），５３の露出を防止して外観性の低下を抑制することができるとともに、薄板部５０の折り重ね状態を容易かつ確実に保持することができる。
【００５５】
また、各板部２５，３０，３５，４０，４５及び係合部７０を合成樹脂発泡体で構成すれば、軽量で保護性や保温性に優れた折箱１０を提供することができる。この折箱１０にあっては、果物，野菜，生肉，鮮魚等の生鮮食品、冷凍食品、氷菓子等を収納し運搬等する際に好適に用いることができる。さらに、この折箱１０は、惣菜や弁当、寿司、ケーキ等の食品類を店頭で箱詰めして販売する場合等にも適している。
【００５６】
なお、本発明の折箱は、前述の実施例のみに限定されるものではなく、発明の趣旨を逸脱しない範囲において構成の一部を適宜に変更して実施することができる。例えば、側板部に折り重ねた薄板部をより確実に固定するために、ステープラーやひも等の補助固定部材を用いてもよい。その際、補助固定部材による固定位置を係合部の収容凹部に収容可能な位置とすれば、補助固定部材が外部に露出せず、外観性が低下する恐れがない。
【００５７】
１０    折箱
１１，１２，１３，１４    角部
２０    箱状本体
２１，２２，２３，２４    折曲部
２５    底板部
３０，３５    端板部
４０，４５    側板部
４２，４７    薄肉部
５０    薄板部
６０    溝部
７０    係合部
８０    端枠部
８５    側枠部
ａ，ｂ    縦辺部
ｃ，ｄ    横辺部
【図１】
2011116438.tif 000003
【図２】
2011116438.tif 000004
【図３】
2011116438.tif 000005
【図４】
2011116438.tif 000006
【図５】
2011116438.tif 000007
【図６】
2011116438.tif 000008
【図７】
2011116438.tif 000009
【図８】
2011116438.tif 000010
【図９】
2011116438.tif 000011